(57)【要約】【課題】液体の十分な容量を確保できると共に、重量バランスのよい可搬放水装置を得る。【解決手段】液体タンク１，２を２本備え、２本の液体タンク１，２の一つの上側に気体タンク３０を接続し、また、２本の液体タンク１，２の上側を供給パイプ２０により連結すると共に、２本の液体タンク１，２の下側を吐出パイプ２２により連結し、吐出パイプ２２を噴射ガン２８に接続した。吐出パイプ２２は、２本の液体タンク１，２の下側を連結すると共に、吐出パイプ２２は液体タンク１，２の下側よりも更に下を通る配管に形成し、吐出パイプ２２の下側で噴射ガン２８と接続した。供給パイプ２０は、２本の液体タンク１，２の上側を連結すると共に、供給パイプ２０は液体タンク１，２の上側よりも更に上を通る配管に形成した。【選択図】図１
2010094658.tif 000002
【特許請求の範囲】
【請求項１】
液体を充填する液体タンクと、該液体タンクに接続され圧縮気体を充填する気体タンクとを備え、前記液体タンクの前記液体を噴射ガンから噴射する可搬放水装置において、
前記液体タンクを２本備え、２本の前記液体タンクの一つの上側に前記気体タンクを接続し、また、２本の前記液体タンクの上側を供給パイプにより連結すると共に、２本の前記液体タンクの下側を吐出パイプにより連結し、該吐出パイプを前記噴射ガンに接続したことを特徴とする可搬放水装置。
【請求項２】
前記吐出パイプは、２本の前記液体タンクの下側を連結すると共に、前記吐出パイプは前記液体タンクの下側よりも更に下を通る配管に形成し、前記吐出パイプの下側で前記噴射ガンと接続したことを特徴とする請求項１に記載の可搬放水装置。
【請求項３】
前記供給パイプは、２本の前記液体タンクの上側を連結すると共に、前記供給パイプは前記液体タンクの上側よりも更に上を通る配管に形成したことを特徴とする請求項１又は請求項２のいずれかに記載の可搬放水装置。
【発明の詳細な説明】
【技術分野】
【０００１】
本発明は、液体タンクに充填した液体を気体タンクに充填した圧縮気体により噴射ガンから噴射する可搬放水装置に関する。
【背景技術】
【０００２】
従来より、液体タンクに充填した液体を噴射ガンから噴射する装置として、特許文献１にあるように、１つの気体タンクから１つの液体タンクに圧縮気体を供給して、液体タンクの液体を噴射ガンから噴射するようにしたものが知られている。
【特許文献１】特開平８−１９６６５６号公報
【発明の開示】
【発明が解決しようとする課題】
【０００３】
しかしながら、こうした従来のものでは、１つの気体タンクと１つの液体タンクとを使用者が背負って可搬できるように、２つを並べて配置すると、それぞれの重量に差があり、重量バランスが悪く、また、重量バランスを考慮した容量とすると、液体タンクの容量が小さなものとなってしまうという問題があった。
【０００４】
本発明の課題は、液体の十分な容量を確保できると共に、重量バランスのよい可搬放水装置を提供することにある。
【課題を解決するための手段】
【０００５】
かかる課題を達成すべく、本発明は課題を解決するため次の手段を取った。即ち、
液体を充填する液体タンクと、該液体タンクに接続され圧縮気体を充填する気体タンクとを備え、前記液体タンクの前記液体を噴射ガンから噴射する可搬放水装置において、
前記液体タンクを２本備え、２本の前記液体タンクの一つの上側に前記気体タンクを接続し、また、２本の前記液体タンクの上側を供給パイプにより連結すると共に、２本の前記液体タンクの下側を吐出パイプにより連結し、該吐出パイプを前記噴射ガンに接続したことを特徴とする可搬放水装置がそれである。
【０００６】
前記吐出パイプは、２本の前記液体タンクの下側を連結すると共に、前記吐出パイプは前記液体タンクの下側よりも更に下を通る配管に形成し、前記吐出パイプの下側で前記噴射ガンと接続した構成とするとよい。また、前記供給パイプは、２本の前記液体タンクの上側を連結すると共に、前記供給パイプは前記液体タンクの上側よりも更に上を通る配管に形成した構成とするとよい。
【発明の効果】
【０００７】
本発明の可搬放水装置は、２本の液体タンクを所定間隔で接続したので、液体の十分な容量を確保できると共に、その間に気体タンクを配置したバックパック式に適した配置とすることができ、重量バランスがよいという効果を奏する。
【０００８】
また、吐出パイプを２本の液体タンクの下側に接続すると共に、吐出パイプを下側に湾曲形成すると、２本の液体タンク内の液体を全て吐出パイプ内に流出させることができ、液体タンク内の液体を無駄なく噴射できる。
【０００９】
更に、供給パイプを２本の液体タンクの上側に接続すると共に、供給パイプを上側に湾曲形成すると、供給パイプ内に液体が流入し難く、圧縮気体が供給パイプを介して一方の液体タンク２から他方の液体タンクに確実に供給される。
【発明を実施するための最良の形態】
【００１０】
以下本発明を実施するための最良の形態を図面に基づいて詳細に説明する。
図１に示すように、１，２は液体タンクで、２本の液体タンク１，２は、それぞれ円筒の両端を塞いだ軸方向に細長い形状で、それぞれ水等の液体を充填することができるように内部が中空状に形成されている。尚、液体は水に限らず、薬剤や消化剤等でもよい。
【００１１】
図３，４に示すように、２本の液体タンク１，２は同じ大きさに形成されると共に、その上側にはそれぞれ開口部４，６が設けられている。開口部４，６にはそれぞれキャップ８，１０が螺着できるように構成されている。
【００１２】
各液体タンク１，２の下側には、それぞれスカート部材１２，１４が取り付けられると共に、両液体タンク１，２は軸方向が上下方向になるように立てて並べて配置され、複数の連結部材１６〜１９により所定間隔で、例えば使用者の肩幅程度の間隔で連結されている。
【００１３】
２本の液体タンク１，２はそれぞれの上側に供給パイプ２０が連結されている。供給パイプ２０は２本の液体タンク１，２の内部を連通し、供給パイプ２０は略逆Ｕ字状に形成されて、供給パイプ２０は両液体タンク１，２側よりも中央が上方に高くなるように、液体タンク１，２の上側よりも更に上を通る配管形状に形成されている。
【００１４】
また、２本の液体タンク１，２はそれぞれの下側に吐出パイプ２２が連結されている。吐出パイプ２２は２本の液体タンク１，２の内部を連通し、吐出パイプ２２は略Ｕ字状に形成されて、吐出パイプ２２は両液体タンク１，２側よりも中央が下方に低くなるように、液体タンク１，２の下側よりも更に下を通る配管形状に形成されている。
【００１５】
吐出パイプ２２には、下側の低い箇所に接続部２４が設けられている。接続部２４には、図１，２に示すように、液体供給ホース２６の一端が接続され、液体供給ホース２６の他端は噴射ガン２８に接続されている。
【００１６】
圧縮空気等の圧縮気体が充填される気体タンク３０は、調整弁３２を介して、第１気体ホース３４により一方の液体タンク２に接続されている。第１気体ホース３４は一方の液体タンク２のキャップ１０を介して液体タンク２の内部に連通されている。尚、圧縮気体は圧縮空気に限らず、圧縮窒素や圧縮二酸化炭素等でもよい。
【００１７】
また、気体タンク３０は調整弁３２を介して噴射ガン２８に第２気体ホース３６により接続されている。噴射ガン２８は第１気体ホース３４を介して供給される液体と第２気体ホース３６より供給される圧縮気体とにより、液体を圧縮気体と共に噴射する。
【００１８】
気体タンク３０は、２本の液体タンク１，２の間に、調整弁３２を下側にして配置されると共に、２本の液体タンク１，２に張り渡されたベルト３８により気体タンク３０が固定されている。
【００１９】
尚、本実施形態では、一方の液体タンク１のキャップ８には残圧抜き弁４０が取り付けられており、後述する液体タンク１，２内の液体が全てなくなったときに、液体タンク１，２内に圧縮気体が残るが、残圧抜き弁４０を開弁することにより、この圧縮気体を大気中に放出できる。また、他方の液体タンク２のキャップ１０には、リリーフ弁４２が取り付けられており、液体タンク１，２内の圧力が設定圧力を超えたときに、リリーフ弁４２が開弁して大気中に圧力を逃がすことができるように構成されている。
【００２０】
次に、前述した本実施形態の可搬放水装置の作動について説明する。
まず、２本の液体タンク１，２には水等の液体を充填し、気体タンク３０には圧縮空気等の圧縮気体を充填する。気体タンク３０から、調整弁３２、第１気体ホース３４を介して圧縮気体が一方の液体タンク２に供給され、供給パイプ２０を介して他方の液体タンク１にも圧縮気体が供給される。
【００２１】
両液体タンク１，２では、供給される圧縮気体により内部の液体が加圧されて、液体供給ホース２６を介して噴射ガン２８に供給される。また、気体タンク３０の圧縮気体は調整弁３２、第２気体ホース３６を介して噴射ガン２８に供給される。そして、噴射ガン２８を操作すると、噴射ガン２８から液体が圧縮気体と共に噴射される。調整弁３２を調整、又は図示しないオリフィスを変更することにより、噴射の勢いを調整できる。
【００２２】
図１に示すように、供給パイプ２０と吐出パイプ２２とにより２本の液体タンク１，２を所定間隔で連結したので、液体の十分な容量を確保できると共に、２本の液体タンク１，２の間に気体タンク３０を配置して、バックパック式に適した配置とすることができるので、使用者が可搬放水装置を背負って移動する際の重量バランスがよい。
【００２３】
また、吐出パイプ２２は２本の液体タンク１，２の下側に連結されると共に、吐出パイプ２２は下側に湾曲形成されているので、２本の液体タンク１，２内の液体の最後の一滴まで吐出パイプ２２内に流出する。しかも、吐出パイプ２２に噴射ガン２８が液体供給ホース２６を介して接続されているので、使用者が可搬放水装置を背負って移動する際に可搬放水装置が揺られても、２本の液体タンク１，２内の液体を効率よく、かつ無駄なく噴射できる。
【００２４】
更に、供給パイプ２０は２本の液体タンク１，２の上側に連結されると共に、供給パイプ２０は上側に湾曲形成されているので、使用者が可搬放水装置を背負って移動する際に可搬放水装置が揺られても、供給パイプ２０内に液体が流入し難く、供給パイプ２０内に液体が侵入しても、容易に供給パイプ２０から液体タンク１，２内に戻る。従って、圧縮気体が供給パイプ２０を介して一方の液体タンク２から他方の液体タンク１に確実に供給される。
【００２５】
以上本発明はこの様な実施形態に何等限定されるものではなく、本発明の要旨を逸脱しない範囲において種々なる態様で実施し得る。
【図面の簡単な説明】
【００２６】
【図１】本発明の一実施形態としての可搬放水装置の斜視図である。
【図２】本実施形態の可搬放水装置の接続図である。
【図３】本実施形態の可搬放水装置の要部分解斜視図である。
【図４】本実施形態の可搬放水装置の要部斜視図である。
【符号の説明】
【００２７】
１，２…液体タンク      ４，６…開口部
８，１０…キャップ      １２，１４…スカート部材
２０…供給パイプ        ２２…吐出パイプ
２４…接続部            ２６…液体供給ホース
２８…噴射ガン          ３０…気体タンク
３２…調整弁            ３４…第１気体ホース
３６…第２気体ホース
【図１】
2010094658.tif 000003
【図２】
2010094658.tif 000004
【図３】
2010094658.tif 000005
【図４】
2010094658.tif 000006